(57)【特許請求の範囲】
【請求項１】
大きな過冷却性を有する蓄熱材及びその過冷却を解放する解放手段を具備する蓄熱体と、
前記蓄熱体を加熱するヒータと、
断熱性及びクッション性を有する被覆材と
を備え、
前記蓄熱体を複数の部屋に分け、
前記各部屋に異なる放熱温度を有する前記蓄熱材を封入し、
前記各部屋に封入された前記蓄熱材が混合しないような連通路で前記部屋同士を連通し、最も高い放熱温度を有する前記蓄熱材が封入された部屋に前記解放手段を配設し、
前記各部屋に封入された前記蓄熱材をゲル化剤によりゲル化し、
前記連通路に隣接する前記部屋に封入された前記蓄熱材と同等あるいは類似した結晶形を有し、
且つ前記連通路に隣接する前記部屋に封入された前記蓄熱材と同等の過冷却度を有するゲル化していない物質で封止材を形成し、
前記連通路に隣接する前記部屋に封入された前記蓄熱材と接触するように前記封止材を前記連通路に充填した蓄熱暖房具。
【請求項２】
高い放熱温度を有する前記蓄熱材が低い放熱温度を有する前記蓄熱材よりも外側に配置された請求項１に記載の蓄熱暖房具。
【請求項３】
ゲル化された前記蓄熱材あるいは前記各部屋に封入された前記蓄熱材が前記連通路で流動するのを抑制する材料で形成された封入材を前記連通路に充填して成る請求項１または２に記載の蓄熱暖房具。
【請求項４】
前記解放手段により前記蓄熱材の過冷却を解放した際に前記蓄熱材が偏り無くほぼ均一に放熱するように、前記蓄熱材の複数の部分から前記解放手段までの距離をほぼ同等に形成して成る請求項１〜３のいずれか１項に記載の蓄熱暖房具。
【請求項５】
前記蓄熱体を複数の部屋に完全に分断し、前記各部屋に前記蓄熱材を封入すると共に前記解放手段を各部屋毎に設け、いずれかの前記部屋に封入された前記蓄熱材の過冷却を解放することによって前記蓄熱体全体がほぼ均一に放熱するように前記部屋を配置して成る請求項１〜３のいずれか１項に記載の蓄熱暖房具。
【請求項６】
前記ヒータで加熱された前記蓄熱体を着脱自在に形成して成る請求項１〜５のいずれか１項に記載の蓄熱暖房具。
【請求項７】
前記被覆材は、空気が出し入れ自在に形成されたエアクッションで形成された請求項１〜６のいずれか１項に記載の蓄熱暖房具。
【請求項８】
前記蓄熱材の過冷却度が１０ｄｅｇ以上である請求項１〜７のいずれか１項に記載の蓄熱暖房具。
【請求項９】
前記ヒータの温度をコントロールすることにより、前記蓄熱材の顕熱温度領域でのヒータ運転と、
前記蓄熱材の潜熱温度領域まで前記蓄熱材の温度を上げるが完全融解させない潜熱運転と、
前記蓄熱材の潜熱温度領域を超えた温度領域まで前記蓄熱材の温度を上げて前記蓄熱材を完全融解させ過冷却可能にする過冷却運転と
の三種類の運転モードを選択可能に形成された請求項１〜８のいずれか１項に記載の蓄熱暖房具。
【発明の詳細な説明】
【０００１】
【発明の属する技術分野】
本発明は、大きな過冷却性を有する蓄熱材を応用した蓄熱暖房具に関するものである。
【０００２】
【従来の技術】
従来より、蓄熱材とこれを加熱するヒータを内蔵した蓄熱暖房具が提案されているが、これには次のような問題点があった。
【０００３】
まず、蓄熱材がヒータからの熱を蓄熱した後自然に放熱を行うために、断熱材で被覆していても使用時間が加熱直後あるいは加熱してからしばらくの間という制限があり、長時間使用することができなかった。
【０００４】
また、蓄熱材の放熱温度が一種類であるために、使用者によっては温度が高すぎるという不満や低すぎるという不満が生じることがあった。
【０００５】
また、蓄熱材とヒータを被覆する被覆材（断熱材）の材質や厚さによっては外部への熱の伝わりが悪くなり、蓄熱暖房具としての立ち上がり時間が多くかかったり温度ムラが生じたりしやすい傾向があった。
【０００６】
さらに、放熱温度の異なる二種類の蓄熱材を使用していても、それぞれの蓄熱材の配置によっては温度ムラが生じやすいという傾向もあった。
【０００７】
また、蓄熱材とヒータと被覆材とを具備する蓄熱暖房具は通常のヒータ加熱による暖房具に比べて、重量が大きくなり持ち運びに不便であった。
【０００８】
また、従来の蓄熱暖房具は運転モード（運転方式）として、蓄熱材をヒータで加熱し、その熱で暖をとるという単一機能しか持ち合わせていないために、コンセント等からのヒータへの給電が常に必要であり、コードレスでの屋外への持ち出しができないという問題があった。
【０００９】
【発明が解決しようとする課題】
そこで本発明は、長時間の使用が可能であり、複数の放熱温度を選択することができ、立ち上がりが早く、放熱時の温度ムラが生じにくく、ヒータによる一回の加熱で複数回使用することができ、持ち運びに便利で、数種類の運転モードを選択することができる蓄熱暖房具を提供することを目的とするものである。
【００１０】
【課題を解決するための手段】
本発明の請求項１に係る蓄熱暖房具は、大きな過冷却性を有する蓄熱材１及びその過冷却を解放する解放手段２を具備する蓄熱体３と、蓄熱体３を加熱するヒータ４と、断熱性及びクッション性を有する被覆材５とを備え、蓄熱体３が複数の部屋６に分けられており、各部屋６に異なる放熱温度を有する蓄熱材１ａ、１ｂ…を封入し、前記各部屋６に封入された前記蓄熱材１ａ、１ｂ…が混合しないような連通路７で前記部屋６同士を連通し、最も高い放熱温度を有する前記蓄熱材１ａが封入された部屋６に前記解放手段２を配設し、前記各部屋６に封入された前記蓄熱材１ａ、１ｂ…をゲル化剤によりゲル化し、前記連通路７に隣接する前記部屋６に封入された前記蓄熱材１ａ、１ｂ…と同等あるいは類似した結晶形を有し、且つ前記連通路７に隣接する前記部屋６に封入された前記蓄熱材１ａ、１ｂ…と同等の過冷却度を有するゲル化していない物質で封止材８を形成し、前記連通路７に隣接する前記部屋６に封入された前記蓄熱材１ａ、１ｂ…と接触するように前記封止材８を前記連通路７に充填して成ることを特徴とするものである。
【００１１】
本発明の請求項２に係る蓄熱暖房具は、請求項１の構成に加えて、高い放熱温度を有する蓄熱材１ａを低い放熱温度を有する蓄熱材１ｂよりも外側に配置して成ることを特徴とするものである。
【００１２】
本発明の請求項３に係る蓄熱暖房具は、請求項１または２の構成に加えて、ゲル化された蓄熱材１ａ、１ｂ…あるいは各部屋６に封入された蓄熱材１ａ、１ｂ…が連通路７で流動するのを抑制する材料で形成された封入材８を連通路７に充填して成ることを特徴とするものである。
【００１３】
本発明の請求項４に係る蓄熱暖房具は、請求項１〜３のいずれか１項の構成に加えて、解放手段２により蓄熱材１の過冷却を解放した際に蓄熱材１が偏り無くほぼ均一に放熱するように、蓄熱材１の複数の部分から解放手段２までの距離をほぼ同等に形成して成ることを特徴とするものである。
【００１４】
本発明の請求項５に係る蓄熱暖房具は、請求項１〜３のいずれか１項の構成に加えて、蓄熱体３を複数の部屋６に完全に分断し、各部屋６に蓄熱材１を封入すると共に解放手段２を各部屋６毎に設け、いずれかの部屋６に封入された蓄熱材１の過冷却を解放することによって蓄熱体３全体がほぼ均一に放熱するように部屋６を配置して成ることを特徴とするものである。
【００１５】
本発明の請求項６に係る蓄熱暖房具は、請求項１〜５のいずれか１項の構成に加えて、ヒータ４で加熱された蓄熱体３を着脱自在に形成して成ることを特徴とするものである。
【００１６】
本発明の請求項７に係る蓄熱暖房具は、請求項１〜６のいずれか１項の構成に加えて、空気が出し入れ自在に形成されたエアクッション３３で被覆材５を形成して成ることを特徴とするものである。
【００１７】
本発明の請求項８に係る蓄熱暖房具は、請求項１〜７のいずれか１項の構成に加えて、蓄熱材１の過冷却度が１０ｄｅｇ以上であることを特徴とするものである。
【００１８】
本発明の請求項９に係る蓄熱暖房具は、請求項１〜８のいずれか１項の構成に加えて、ヒータ４の温度をコントロールすることにより、蓄熱材１の顕熱温度領域ａでのヒータ運転と、蓄熱材１の潜熱温度領域ｂまで蓄熱材１の温度を上げるが完全融解させない潜熱運転と、蓄熱材１の潜熱温度領域ｂを超えた温度領域ｃまで蓄熱材１の温度を上げて蓄熱材１を完全融解させ過冷却可能にする過冷却運転との三種類の運転モードを選択可能に形成して成ることを特徴とするものである。
【００１９】
【発明の実施の形態】
以下、本発明の実施の形態を説明する。
【００２０】
蓄熱材（潜熱蓄熱材）１としては大きな過冷却性を有するものを使用する。このような大きな過冷却性を有する蓄熱材１としては過冷却度が１０ｄｅｇ以上であることが好ましく、これにより蓄熱材１の過冷却の制御が容易に可能になるものである。蓄熱材１の過冷却度が１０ｄｅｇ未満であると、蓄熱材１自身の温度低下により自然に過冷却の状態を開放してしまう可能性が大きくなり、好ましくない。尚、蓄熱材１の過冷却度の上限は特に設定されないが、９０ｄｅｇ以下にすることができる。
【００２１】
具体的には、蓄熱材１としてはその種類を問わず、有機・無機のどちらであってもよい。但し、大きな過冷却性を有するという点からいえば、水和物（特に包晶系）や高温（１００℃以上）の融点を有するペンタエリスリトールなどを好適に用いることができる。このように過冷却性を有する蓄熱材１を用いるので、本発明の蓄熱暖房具は図２に示すように、ヒータ４の加熱による蓄熱時に蓄熱材１の結晶を完全に融解させ、加熱直後は顕熱による暖房を行うことができ、さらに蓄熱材１が冷えてからでも解放手段２による潜熱の任意の解放が可能となるものであり、これにより、時間をおいてからでも暖房することができて長時間の使用が可能となり、しかもヒータ４に給電しなくても暖房することができてコードレスでの使用が可能となるものである。
【００２２】
そして、本発明では蓄熱材１として、放熱手段２による過冷却の解放により放熱した際に、放熱温度が異なる複数種の蓄熱材１ａ、１ｂ…を用いるものである。異なる放熱温度を有する蓄熱材１ａ、１ｂ…はそれらの組成を異ならせるなどすることによって形成することができる。
【００２３】
蓄熱材１の過冷却を解放する解放手段２としては、電気、超音波など種類は問わないが、蓄熱材１と放熱手段２を繰り返し安定して使用することができるように、図３（ａ）に示すようなトリガー１０を用いるのが好ましい。このトリガー１０は、底板１１の上面にトリガーリング１２を設けると共にトリガー可動片１３をトリガーリング１２の内側に配設し、トリガーリング１２の内周面に凹設した凹部４１にトリガー可動片１３の端部を挿入することにより、トリガー可動片１３を凹部４１内で移動自在に形成し、トリガー可動片１３の上下面にワッシャ１５を配設すると共にトリガー可動片１３及びワッシャ１５にネジ１４を貫通させた後ネジ１４にナット１６を螺合することによって、ネジ１４の先端をトリガー可動片１３の上側に突出させてトリガー可動片１３にネジ１４を固定し、ネジ１４の先端に押さえ板１７を螺着することによって形成されている。
【００２４】
このトリガーは、図３（ｂ）のように蓄熱材１内に配設されるものであって、外部からの圧力Ｐで蓄熱材１の核を生成するものである。すなわち、押さえ板１７にかけられた外部圧力により、トリガー可動片１３と重ねられたワッシャ１５の間に析出した蓄熱材１のエンブリオを凝集させて核を形成する方式のものであり、容器１８に蓄熱材１とトリガー１０を密閉して形成される蓄熱体３の外部からでも操作することができて蓄熱材１の過冷却を解放することができるものである。
【００２５】
そして、図４に示すように、袋状の容器１８を仕切部２０で仕切って複数の部屋６を形成し、一つの部屋６に一種類の蓄熱材１ａを、他の一つの部屋６に他の一種類の蓄熱材１ｂを、さらに他の一つの部屋６にさらに他の一種類の蓄熱材１ｃをそれぞれ封入し、一つの部屋６あるいは全部の部屋６にトリガーを配設することによって、本発明の蓄熱体３を形成することができる。尚、図４のものでは一つの容器１８に三つの部屋６を形成し、三種類の放熱温度が異なる蓄熱材１ａ、１ｂ、１ｃを用いて蓄熱体３を形成したが、部屋６の個数や蓄熱材１の種類の個数は任意である。
【００２６】
容器１８はラミネートにより形成された袋状のものを用いることができ、例えば、軟質の合成樹脂（例えば、ポリエステル、ポリプロピレン、ポリ塩化ビニル、ポリエチレンなど）により形成することができ、これにより、上記のようなトリガー１０を解放手段２として使用した場合に、蓄熱体３の外部からトリガー１０に力を与えやすく、また、シール（溶着）のやり方一つで複数個の仕切部２０を容易に形成することができ、簡単に複数個の部屋６に分けることができる。さらに、複数個の蓄熱体３を一つの蓄熱暖房具に設置する場合などでは蓄熱体３を収めるスペースが狭くなることがあるが、上記のように軟質の合成樹脂で容器１８を形成することによって蓄熱体３の形が柔軟であるために、限られたスペースにも収りやすいものである。但し、本発明の蓄熱暖房具を座布団として扱う場合は、繰り返し蓄熱体３に荷重がかかったり、また、子供などの飛び降りにより大きな衝撃荷重が蓄熱体３にかかったりする可能性があるので、図１７（ｂ）に示すように、柔軟なラミネート製の袋である容器１８とそれに接するヒータ４とを硬質の合成樹脂などの硬質材料で形成される保護容器２１に収納して周囲を保護容器２１で囲んでガードすることによって、上記の問題が起こらないようにすることができ、しかも、万が一、容器１８が破れたとしても蓄熱材１が外部に漏れ出さないようにすることができ、保護容器２１で蓄熱材１の漏洩防止を行うことができる。
【００２７】
ヒータ４としては家庭用電源などから給電されて発熱する複数本の発熱線２２を備えてシート状に形成されるものを用いることができる。また、断熱性（断熱材性）及びクッション性を有する被覆材５としては発泡ウレタンなどの樹脂発泡体を板状などの任意の形状に形成したものを用いることができる。
【００２８】
そして、図１に示すように、被覆材５の略中央部に蓄熱体３を内蔵させると共に蓄熱体３の両側の表面にヒータ４を接触させるようにしてヒータ４を被覆材５に内蔵させることによって、本発明の蓄熱暖房具を形成することができる。この蓄熱暖房具は、ヒータ４による加熱で蓄熱材１に蓄熱を行い、解放手段２による蓄熱材１の過冷却の解放により発熱させてその熱を利用するものである。
【００２９】
本発明において、蓄熱体３とヒータ４の配置パターンは、図１や図５（ａ）に示すように一つの蓄熱体３を二つのヒータ４で両側から挟んでサンドイッチしても良いし、あるいは図５（ｂ）に示すように蓄熱体３の片面（下面）のみにヒータ４を接触させて配設しても良いし、あるいは図５（ｃ）に示すように一つのヒータ４を二つの蓄熱体３で両側から挟んでサンドイッチしても良い。但し、図５（ｂ）（ｃ）の場合、蓄熱体３をヒータ４で加熱しながら同時にヒータ４の無い面を通じて蓄熱体３から放熱が起こるために、これを防ぐような断熱性能を有する被覆材５を用いるのが好ましい。
【００３０】
図６に他の実施の形態を示す。この蓄熱暖房具は異なる放熱温度を有する二種類の蓄熱材１ａ、１ｂを用いたものであるが、高い方の放熱温度を有する蓄熱材１ａを低い方の放熱温度を有する蓄熱材１ｂの外側に設けたものである。すなわち、融点の高い蓄熱材１ａを融点の低い蓄熱材１ｂよりも外側に配置すると共に融点の低い蓄熱材１ｂの両側に融点の高い蓄熱材１ａを配置して上下方向（厚み方向）にサンドイッチするようにして蓄熱体３が形成されている。その他の構成は上記の実施の形態と同様である。尚、高い方の放熱温度を有する蓄熱材１ａとしては、被暖房部（暖房される部分）の温度より高い放熱温度（例えば、５８℃）を有するものを用いることが好ましく、また、低い方の放熱温度を有する蓄熱材１ｂとしては、被暖房部を暖房するのに適した放熱温度（例えば、４８℃）を有するものを用いることが好ましい。
【００３１】
図７に図６の蓄熱暖房具の立ち上がり（蓄熱材１の放熱による暖房開始時）における蓄熱暖房具の表面温度の変化を示す。この蓄熱暖房具では、まず、外側（周囲）に配設された高い方の放熱温度を有する蓄熱材１ａが過冷却状態から解放されることにより放熱し、この放熱で被覆材５が最初に一気に加熱される（図７に実線で示す）。この後、急激に蓄熱材１ａの放熱温度が低下していくが、これとほぼ同時に、内側（コア）に配設された低い方の放熱温度を有する蓄熱材１ｂが過冷却状態から解放されることにより放熱し、この放熱で被覆材５が暖房に適した適温に加熱される（図７に点線で示す）。従って、図７に一点鎖線で示すように、蓄熱暖房具はその表面温度が被暖房部を暖房するのに適した放熱温度になるまでの時間が短くなり、立ち上がり性を向上させることができるものである。尚、図７には、被暖房部を暖房するのに適した放熱温度を有する蓄熱材１ｂのみを用いた場合の蓄熱暖房具の表面温度の変化を二点鎖線で示す。この場合、本発明の蓄熱暖房具に比べて、被暖房部を暖房するのに適した表面温度になるまでの時間が長くかかっている。
【００３２】
図８（ａ）乃至（ｃ）に蓄熱体３の他例を示す。この蓄熱体３は異なる容量の部屋６ａ、６ｂを有して形成されるものであり、容量の大きい方の部屋６ａと容量の小さい部屋６ｂには異なる放熱温度を有する蓄熱材１ａ、１ｂが封入されている。この場合、どちらの部屋６ａ、６ｂに高い方の放熱温度を有する蓄熱材１ａを封入してもよいが、図８のものでは、容量の大きい方の部屋６ａに高い方の放熱温度（被暖房部より高い放熱温度）を有する蓄熱材１ａを封入し、容量の小さい方の部屋６ｂに低い方の放熱温度（被暖房部を暖房するのに適した放熱温度）を有する蓄熱材１ｂを封入するようにしている。また、部屋６ａ、６ｂは連結片２３により連結されており、連結片２３に形成される連通路７により部屋６ａ、６ｂは連通状態に形成されている。そして、この連通路７内において蓄熱材１ａと蓄熱材１ｂが接触しているが、一方の部屋６ａ（６ｂ）に封入された蓄熱材１ａが他方の部屋６ｂ（６ａ）に浸入しないように、連通路７は細径に形成するのが好ましく、これにより、蓄熱材１ａと蓄熱材１ｂが混合しないようにすることができる。また、解放手段２（トリガー１０）は高い方の蓄熱材１ａが封入された部屋６ａ内に配設されている。尚、三種類以上の放熱温度が異なる蓄熱材１ａ、１ｂ…を用いる場合は、最も高い放熱温度を有する蓄熱材が封入された部屋に解放手段２を配設するようにする。
【００３３】
このように形成される蓄熱体３は上記と同様にして蓄熱暖房具に用いることができるが、蓄熱材１ａ、１ｂを過冷却状態にした後蓄熱暖房具から取り外して単体あるいは他の蓄熱暖房具に取り付けて使用することも可能である。この蓄熱体３において蓄熱材１ａ、１ｂを過冷却から解放して放熱させるにあたっては、まず、図８（ｂ）に示すように、部屋６ｂの一面が部屋６ａに重なるように連結片２３を折り曲げると共にこの部屋６ｂの他の一面に部屋６ａが重なるように部屋６ａを折り曲げ、蓄熱材１ａが封入された部屋６ａで蓄熱材１ｂが封入された部屋６ｂを両側から挟んでサンドイッチする。このようにして蓄熱体３を折り畳んだ後、解放手段２を作動させて外側の蓄熱材１ａを放熱させる。この後、蓄熱材１ａの結晶化が連通路７を通して蓄熱材１ｂに伝搬して蓄熱材１ｂが放熱するものである。このようにこの蓄熱体３では解放手段２の操作一つで蓄熱材１ａと蓄熱材１ｂを簡単に放熱させることができるものである。尚、蓄熱体３を上記のように折り畳まずに解放手段２を操作して放熱させても良い。また、部屋６には折り曲げにより破損しないように折り曲げ箇所に補強部２４を設けるようにするのが好ましい。
【００３４】
図９に蓄熱体３の他例を示す。この蓄熱体３は図８（ａ）に示すものにおいて、部屋６ａと部屋６ｂがほぼ同じ大きさに形成されており、また、各部屋６ａ、６ｂに封入された蓄熱材１ａ、１ｂがゲル化剤によりゲル化されており、蓄熱材１ａ、１ｂの流動性を低下させたものである。ゲル化剤としては、例えば、ポリビニルアルコール（ＰＶＡ）やキサンタンガムなどを用いることができる。また、連通路７には封止材８が充填されている。封止材８は、隣接する部屋６ａ、６ｂに封入された蓄熱材１ａ、１ｂと同等あるいは類似した結晶形を有し且つ連通路７に隣接する部屋６ａ、６ｂに封入された蓄熱材１ａ、１ｂと同等の過冷却度を有するゲル化していない物質で形成されるものであり、このような物質としてはゲル化剤を含まない蓄熱材１ａや蓄熱材１ｂと同様の材料で調製することができる。また、封止材８は隣接する部屋６ａ、６ｂに封入された蓄熱材１ａ、１ｂと接触するように連通路７に充填されている。
【００３５】
このように形成される蓄熱体３は上記と同様にして蓄熱暖房具に用いることができ、また、図８（ｂ）（ｃ）と同様の手順で放熱させることができる。そしてこの蓄熱体３では、各部屋６ａ、６ｂに封入された蓄熱材１ａ、１ｂがゲル化剤によりゲル化されているので、蓄熱材１ａ、１ｂの流動性を低下させることができ、細径の連通路７を通って一方の部屋６ａ（６ｂ）に封入された蓄熱材１ａが他方の部屋６ｂ（６ａ）に浸入しにくくすることができ、これにより、蓄熱材１ａと蓄熱材１ｂが混合しないようにすることができるものである。しかも、封止材８によっても細径の連通路７を通って一方の部屋６ａ（６ｂ）に封入された蓄熱材１ａが他方の部屋６ｂ（６ａ）に浸入しにくくすることができて蓄熱材１ａと蓄熱材１ｂが混合しないようにすることができ、さらに、封止材８が蓄熱材１ａ、１ｂと同じかあるいは類似する結晶形を有するので、蓄熱材１ａの結晶化のみが封止材８を通して蓄熱材１ｂに伝搬するものである。尚、蓄熱材１ａ、１ｂと類似する結晶形とは、蓄熱材１ａ、１ｂの結晶格子の平均サイズ（ａ×ｂ×ｃ）１／３に対して封止材８の結晶格子の平均サイズが０．５〜１．５倍の範囲内にあることを意味する。上記のａ、ｂ、ｃは格子定数である。
【００３６】
図１０に蓄熱体３の他例を示す。この蓄熱体３は図９に示すものと同様に形成されるが、連通路７に充填された封止材８としては、ゲル化された蓄熱材を用いたり、あるいは各部屋６に封入された蓄熱材１ａ、１ｂが連通路７で流動するのを抑制する材料で形成したりすることができる。封止材８を形成するためのゲル化された蓄熱材としては、図９のもので用いた上記のゲル化剤でゲル化された蓄熱材１ａ、１ｂと同等のものを使用することができる。また、蓄熱材１ａ、１ｂが連通路７で流動するのを抑制する材料で封止材８を形成する場合は、蓄熱材１ａ、１ｂが含浸して膨潤する材料を用いることができ、例えば、不織布や織布や連通（通気性のある）のスポンジなどを用いることができる。
【００３７】
そしてこの蓄熱体３では、封止材８によって連通路７を通って一方の部屋６ａ（６ｂ）に封入された蓄熱材１ａが他方の部屋６ｂ（６ａ）に浸入しにくくすることができて蓄熱材１ａと蓄熱材１ｂが混合しないようにすることができ、さらに、封止材８がゲル化された蓄熱材あるいは各部屋６ａ、６ｂに封入された蓄熱材１ａ、１ｂを含んで膨潤する材料で形成されるので、蓄熱材１ａの結晶化のみが封止材８を通して蓄熱材１ｂに伝搬するものである。尚、各部屋６ａ、６ｂに封入された蓄熱材１ａ、１ｂはゲル化されていても良いし、ゲル化されていなくても良い。また、このように形成される蓄熱体３は上記と同様にして蓄熱暖房具に用いることができる。
【００３８】
図１１（ａ）（ｂ）（ｃ）に蓄熱体３の他例であって、蓄熱体３に一つの部屋６が形成されている。これらの蓄熱体３においては部屋６に封入された蓄熱材１が偏り無く全体に亘ってほぼ均一に放熱するように、蓄熱材１の複数の部分と解放手段２までの距離（結晶化の伝搬距離）をほぼ同等に形成したものである。図１１（ｄ）に示すように、ほぼ四角形の蓄熱体３の角部に解放手段２を配設した場合、放熱手段２により過冷却を解放させると、放熱手段２の近い部分から蓄熱材１の結晶化が起こり、この結晶化が矢印で示すように徐々に拡がっていくことにより蓄熱体３が全体に亘って放熱するものである。従って、蓄熱材１の結晶化の伝搬速度に偏りができて、解放手段２を配設した蓄熱体３の角部が最も早く放熱し、解放手段２を配設した蓄熱体３の角部と正反対の角部では最も遅く放熱することになり、放熱開始直後では蓄熱体３を全体に亘ってほぼ均一に放熱させることができない。
【００３９】
そこで、図１１（ａ）の蓄熱体３は、部屋６をほぼ円形に形成すると共に部屋６（蓄熱体３）のほぼ中央部に解放手段２を配設し、部屋６に蓄熱材１を封入することによって形成されている。この蓄熱体３では解放手段２による蓄熱材１の過冷却の解放により、矢印で示すように、蓄熱材１の結晶化が蓄熱体３のほぼ中央部から放射状にほぼ均一に拡がって伝搬するものであり、この部屋６に封入された蓄熱材１を偏り無く、全体に亘ってほぼ均一に放熱させることができるものである。
【００４０】
また、図１１（ｂ）の蓄熱体３は、蓄熱体３の角部に収納部２６を形成すると共に収納部２６よりも大きな容量の部屋（主放熱部）６を形成し、収納部２６と部屋６を複数の伝搬路４２により連通させると共に収納部２６に解放手段２を配設し、収納部２６と伝搬路４２と部屋６に蓄熱材１を封入することによって形成されている。伝搬路４２は収納部２６と部屋６の複数の部分を連通させるように形成するものである。この蓄熱体３では解放手段２で収納部２６内の蓄熱材１の過冷却を解放させると、矢印で示すように、解放により生じる結晶化が伝搬路４２を通じて部屋６の複数の部分に伝搬されて大領域の部屋６で結晶化が起こり、部屋６に封入された蓄熱材１の過冷却を解放して放熱させるものである。そして、この蓄熱体３では、部屋６の解放手段２に近い部分に連通する伝搬路４２の長さと部屋６の解放手段２から遠い部分に連通する伝搬路４２の長さとをほぼ一致させるように、部屋６の解放手段２に近い部分に連通する伝搬路４２を蛇行させて形成するものであり、これにより、解放手段２による収納部２６の蓄熱材１の過冷却を解放させると、蓄熱材１の結晶化が収納部２８から伝搬路４２を通じて部屋６の複数の部分にほぼ同時に伝搬するものであり、この部屋６に封入された蓄熱材１の複数の部分に結晶を一度に噴出させることができ、蓄熱体３の大領域を占める部屋６に封入された蓄熱材１を偏り無く、全体に亘ってほぼ均一に放熱させることができるものである。
【００４１】
また、図１１（ｃ）の蓄熱体３は、平面視で略円形の収納部２６を形成すると共に収納部２６よりも大きな容量の部屋（主放熱部）６を平面視で略円形に形成し、収納部２６と部屋６を上下に配設し、収納部２６と部屋６を同じ長さの複数の伝搬路４２により連通させると共に収納部２６に解放手段２を配設し、収納部２６と伝搬路４２と部屋６に蓄熱材１を封入することによって形成されている。この蓄熱体３も図１１（ｂ）のものと同様に、解放手段２による収納部２６の蓄熱材１の過冷却を解放させると、蓄熱材１の結晶化が収納部２８から伝搬路４２を通じて部屋６の複数の部分にほぼ同時に伝搬するものであり、この部屋６に封入された蓄熱材１の複数の部分に結晶を一度に噴出させることができ、蓄熱体３の大領域を占める部屋６に封入された蓄熱材１を偏り無く、全体に亘ってほぼ均一に放熱させることができるものである。
【００４２】
尚、上記１１（ａ）（ｂ）（ｃ）のように形成される蓄熱体３は上記と同様にして蓄熱暖房具に用いることができる。
【００４３】
図１２に蓄熱体３の他例を示す。この蓄熱体３は二つの部屋６を有するものであって、高い方の放熱温度を有する蓄熱材１ａが一方の部屋６に、低い方の放熱温度を有する蓄熱材１ｂが他方の部屋６にそれぞれ封入されている。また、各部屋６の端部には解放手段２がそれぞれ配設されている。さらに、部屋６は蛇行状態に形成される仕切部２０により完全に分断されている。すなわち、一方の部屋６に設けた解放手段２でその部屋６に封入した蓄熱材１ａ（１ｂ）の過冷却を解放して放熱させても、他方の部屋６に封入した蓄熱材１ｂ（１ａ）が結晶化しないように、各部屋６に封入した蓄熱材１ａ、１ｂは完全に分断されている。また、各部屋６は平面視で略櫛状に形成されており、互いにかみ合うように形成されている。
【００４４】
この蓄熱体３では各部屋６のそれぞれに蓄熱材１ａ、１ｂとこれの過冷却を解放する解放手段２を設けたので、蓄熱材１ａと蓄熱材１ｂをそれぞれ個別に放熱させることができ、複数回の使用（暖房）が可能となるものである。また、融点が異なって放熱温度が異なる蓄熱材１ａ、１ｂを用いることによって、状況に応じて好みの温度領域の蓄熱材１を放熱させることができるものである。さらに、各部屋６を平面視で略櫛状に形成して互いにかみ合うように配置するので、一方の蓄熱材１ａ（１ｂ）を放熱させるだけで、複数回使用しても毎回蓄熱体３のほぼ全体を均一な温度にすることができるものである。尚、部屋６の個数は任意である。また、全ての部屋６に一種類の蓄熱材１を封入するようにしても良く、蓄熱材１の種類の個数は任意である。また、このように形成される蓄熱体３は上記と同様にして蓄熱暖房具に用いることができる。
【００４５】
図１３（ａ）に蓄熱体３の他例を示す。この蓄熱体３は四つの長尺のチューブ体２８を用いて形成されており、チューブ体２８の内部が部屋６として形成されている。図１３（ｂ）に示すように、チューブ体２８の部屋６には蓄熱材１が封入されている。また、各チューブ体２８（部屋６）の一方の端部には解放手段２がそれぞれ配設されていると共にチューブ体２８の両端は閉塞されている。従って、各蓄熱材１はチューブ体２８の部屋６に密閉されているものであり、これにより、一つのチューブ体２８に設けた解放手段２でその部屋６に封入した蓄熱材１の過冷却を解放して放熱させても、他方の部屋６に封入した蓄熱材１が結晶化しないように、各部屋６に封入した蓄熱材１は完全に分断されている。
【００４６】
このように形成される複数のチューブ体２８は互いに絡み合わせるようにして蓄熱体３内に混在させて配置されている。また、各解放手段２は蓄熱体３の四隅に位置させるようにするものである。この蓄熱体３においても図１２に示す蓄熱体３と同様の効果を奏するものである。尚、チューブ体２８（部屋６）の個数及び蓄熱材１の種類の個数は任意であり、各チューブ体２８毎に異なる放熱温度を有する蓄熱材１ａ、１ｂ…を封入するようにしても良い。また、このように形成される蓄熱体３は上記と同様にして蓄熱暖房具に用いることができる。
【００４７】
図１４に他の実施の形態を示す。この蓄熱暖房具は蓄熱体３の両側の表面にヒータ４を接触させて設けて図５（ａ）と同様に形成され、さらに被覆材５の側面と蓄熱体３の側面の間において被覆材５に出し入れ孔３０を形成し、この出し入れ孔３０を通じて蓄熱体３を被覆材５の外部へと取り出したり被覆材５の内部へ挿入したりして蓄熱体３を着脱自在に形成したものである。従って、ヒータ４で蓄熱体３を加熱した後に、図１４（ｂ）に示すように蓄熱体３を取り出し、これを単独で用いたり他の蓄熱暖房具に取り付けたりして使用することができるものである。
【００４８】
そして、取り出した蓄熱体３は図１５（ａ）（ｂ）に示す腰巻き３１や図１５（ｃ）に示す肩当て３２など、体の血行促進などを目的とするウェアラブルマットなどの保温具として使用することができる。この場合、腰巻き３１や肩当て３２には蓄熱体３を折り曲げ可能で交換可能に挿入するものである。また、食べ物などを温める保温剤として取り出した蓄熱材３を用いることもできる。
【００４９】
図１６に他の実施の形態を示す。この蓄熱暖房具は被覆材５としてエアクッション３３を用いたものであり、その他の構成は上記の実施の形態と同様に形成されている。エアクッション３３は空気が出し入れ自在に形成された袋体で形成されるものであり、その角部には空気を出し入れするための注入口３４が設けられている。この蓄熱暖房具は図１６（ａ）に示すように、エアクッション３３に空気を注入して膨らませることにより、断熱性及びクッション性を有する被覆材５を簡単に形成することができるものである。また、図１６（ｂ）に示すように、エアクッション３３から空気を抜いて縮ませることにより、蓄熱暖房具の体積を１／４〜１／１０にまで縮小することができ、持ち運びに非常に便利なものである。
【００５０】
図１７に他の実施の形態を示す。図１７（ａ）に示すように、この蓄熱暖房具にはヒータ４の発熱温度をコントロールするためのコントローラ３５が内蔵されている。このコントローラ３５は、家庭用電源等に接続されるコード４６とヒータ４との間に設けられるものであって、家庭用電源等からヒータ４への給電量を適宜変えてヒータ４の発熱温度をコントロールするものである。また、図１７（ｄ）に示すように、蓄熱体３は二つのヒータ４で両側から上下方向（厚み方向）に挟んでサンドイッチされている。また、蓄熱体３はその上下方向（厚み方向）において三つの部屋６に分けられており、真ん中の部屋６には低い方の放熱温度を有する蓄熱材１ｂが封入されていると共に上下両方の部屋６には高い方の放熱温度を有する蓄熱材１ａが封入されている。そして、最も上側にある部屋６には解放手段２として図３に示すトリガー１０が内蔵されている。さらに、被覆材５の外側には被覆材５の外面をほぼ全面に亘って覆う表皮材４０が設けられている。
【００５１】
さらに、図１７（ｂ）に示すように、蓄熱体３にヒータ４を重ね合わせたものは硬質材料で形成される保護容器２１に収納されており、ヒータ４及び蓄熱体３の周囲はこの保護容器２１で囲んでガードしているものである。この保護容器２１には蓄熱体３に内蔵されたトリガー１０に対応する位置にトリガー押さえ器具３６が設けられており、このトリガー押さえ器具３６を外面側から押圧することによって、トリガー押さえ器具３６の突出部３７がトリガー１０の押さえ板１７を押圧することになり、このように押さえ板１７が押圧されることにより、上記と同様に蓄熱体３が放熱するものである。尚、図１７（ｃ）に示すように、蓄熱体３としては図８や図９や図２１に示すものと同様に連通路７や封止材を設けるようにしても良い。
【００５２】
このように形成される蓄熱暖房具は、ヒータ４の発熱温度をコントローラ３５によりコントロールすることにより、図１８（ａ）に示すように、蓄熱材１ａ、１ｂの温度が蓄熱材１ａ、１ｂの顕熱温度領域ａとなるようにヒータ４を発熱させて加熱するヒータ運転と、蓄熱材１ａ、１ｂの潜熱温度領域ｂまで蓄熱材１ａ、１ｂの温度を上げるが完全融解させないようにヒータ４を発熱させて加熱する潜熱運転と、蓄熱材１ａ、１ｂの潜熱温度領域ｂを超えた温度領域ｃまで蓄熱材１ａ、１ｂの温度を上げて蓄熱材１ａ、１ｂを完全融解させ過冷却可能にするようにヒータ４を発熱させて加熱する過冷却運転との三種類の運転モードを選択することができるものである。
【００５３】
そして上記のヒータ運転を行うと、ヒータ４の発熱のみで暖房を行うものであり、図１８（ｂ）に示すようにヒータ４による蓄熱体３（蓄熱材１ａ、１ｂ）の加熱を停止すると、蓄熱体３の温度が直ぐに下がってしまい蓄熱暖房具の温度（表面温度）も直ぐに下がってしまう。また、潜熱運転を行うと、蓄熱体３（蓄熱材１ａ、１ｂ）は放熱しながらでも蓄熱しているので、図１８（ｃ）に示すようにヒータ４による蓄熱体３（蓄熱材１ａ、１ｂ）の加熱を停止しても、蓄熱体３（蓄熱材１ａ、１ｂ）の温度は急激に下がらず、コードレスで屋外等で使用する場合でも蓄熱体３（蓄熱材１ａ、１ｂ）への蓄熱分で暖房を行うことができるものである。さらに、過冷却運転を行うと、蓄熱材１ａ、１ｂを過冷却状態になるまで加熱して完全に融解させているので、図１８（ｄ）に示すようにヒータ４による加熱の後、冷却により過冷却状態となり、解放手段２により任意に蓄熱材１ａ、１ｂの潜熱を取り出すことができ、コードレスで屋外等での使用が可能となるものであり、しかも、予め過冷却運転のモードで蓄熱材１ａ、１ｂを温めておけば、半永久的に過冷却は保たれるので、いつでも任意の時に潜熱の解放による暖房が行うことができるものである。
【００５４】
上記のような性質を有する蓄熱体３を利用した本発明の蓄熱暖房具は各種の形態を採用することによりいろいろな応用商品になるものである。例えば、パーソナル暖房として、座布団、座椅子、抱き枕、蓄熱毛布、アンカー、シート、ベッド、暖房便座、風呂椅子、半身浴用パッド、スリッパ、足温パネルヒーター、観戦用シュラフ、マット、観戦用座布団、Ｕ字型パッド、リサイクルカイロ、マフラー、靴用パッド、自動車用シート、自転車・バイク用のサドルやグリップカバー、血行促進などの健康商品としてのホットサポーター、疲れ目解消用ホットパック、肩こり用パッド、つぼ押し、スポーツ用ホットマット、灸、冷え性解消ベストなど、また、暖か歯ブラシ、暖かマウスピース、美容用温熱パッドとして、エステ用首パッド、汗かきパッド、剤浸透用ヘアケアキャップ、身体各部分用剤浸透パッドなどに応用することができ、暖房以外に温めという機能の点からも利用範囲は考えられる。
【００５５】
【実施例】
以下本発明を実施例によって具体的に説明する。
【００５６】
（実施例１〜５及び比較例１）
表１に示す形状や組成の蓄熱材などを有する蓄熱体３を用いて蓄熱暖房具を形成し、その暖房性能を測定した。尚、蓄熱体３及びヒータ４の周囲を覆うクッション性及び断熱性を有する被覆材５としては、上下及びサイドに厚み１５ｍｍの発泡ウレタンを用い、面積を３００ｍｍ×３００ｍｍとした。また、測定環境は１５℃の部屋のパイプ椅子の上に蓄熱暖房具を置いた。さらに、測定方法は蓄熱暖房具の上面の３ｋｇ法を採用した。結果を図１９にグラフで示す。
【００５７】
図１９から明らかなように、実施例１〜５は比較例１に比べて、表面温度が長時間に亘って暖房に適する温度に保たれるものであり、長時間に亘って使用可能であった。
【００５８】
（実施例６）
表１、図１３（ａ）及び図２０（ｃ）に示すように、四つのチューブ体２８を用いて混在させた蓄熱体３を形成し、この蓄熱体３を用いて上記実施例１〜５と同様の蓄熱暖房具を形成した。
【００５９】
（比較例２）
表１及び図２０（ｂ）に示すように、四つの完全に分断された部屋６を形成し、それぞれの部屋６に蓄熱材１と解放手段２を配置して蓄熱体３を形成し、この蓄熱体３を用いて上記実施例１〜５と同様の蓄熱暖房具を形成した。
【００６０】
そして、実施例６及び比較例２について、各部屋６の蓄熱材１の過冷却をそれぞれ別々に解放させて放熱させた時に、図２０（ａ）に示すア、イ、ウの三ケ所で蓄熱暖房具の表面温度を測定した。比較例２の結果を図２１（ａ）に、実施例６の結果を図２１（ｂ）にそれぞれグラフで示す。
【００６１】
図２１（ａ）（ｂ）から明らかなように、実施例６ではどの部屋６に封入した蓄熱材１を放熱しても表面温度はほぼ一定に保たれたが、比較例２では表面温度にばらつきが生じた。
【００６２】
（実施例７）
表１、図１１（ｂ）に示すように、解放手段２（トリガー１０）から蓄熱材１の複数の部分の距離を同じにして蓄熱体３を形成し、この蓄熱体３を用いて上記実施例１〜５と同様の蓄熱暖房具を形成した。
【００６３】
（比較例３）
表１、図１１（ｄ）に示すように、解放手段２（トリガー１０）を一つの角部に位置させて蓄熱体３を形成し、この蓄熱体３を用いて上記実施例１〜５と同様の蓄熱暖房具を形成した。
【００６４】
そして、実施例７及び比較例３について、蓄熱材１を過冷却を解放させて放熱させた時に、図２０（ａ）に示すア、イ、ウの三ケ所で蓄熱暖房具の表面温度を測定した。比較例３の結果を図２２（ａ）に、実施例７の結果を図２２（ｂ）にそれぞれグラフで示す。
【００６５】
図２２（ａ）（ｂ）から明らかなように、実施例７では表面温度はほぼ一定に保たれたが、比較例３では表面温度にばらつきが生じた。
【００６６】
【表１】
0004496611.tif 000002
【００６７】
（実施例８）
実施例４と同様の蓄熱体３を用いて図１６に示すようなエアクッション３３を被覆材５として用いた蓄熱暖房具を形成した。この実施例８と上記発泡ウレタンを用いた実施例４について重量及び体積の比較を行なった。
【００６８】
その結果、実施例８は実施例４よりも重量が約３０％低減され、体積が１０分の１まで縮小することができ、非常に持ち運びに便利になった。
【００６９】
（実施例９）
実施例４の蓄熱暖房具に２時間通電後に蓄熱体３を取り出し、４８時間放置後、図１５（ａ）（ｂ）のように腰巻（ベルト）３１に挿入して保持させ、これを１５℃の部屋で腰に巻いて蓄熱材１の過冷却を解放させて放熱させ、暖房感に関する官能テストを行なった。この結果、この腰巻３１は約４１℃を３時間保持し腰痛が低減された。尚、図２３に蓄熱暖房具の表面温度の変化をグラフで示す。
【００７０】
（実施例１０）
実施例４の蓄熱暖房具にコントローラ３５等を付与して請求項１１に記載の３つの運転モードを選択可能に形成した。その結果、３つの運転モードとも、快適な温度を保ち、それぞれの使用状況に対応することができた。尚、図２４に蓄熱暖房具の表面温度の変化をグラフで示す。
【００７１】
（実施例１１）
実施例４の蓄熱体３を筒状のクッション材（被覆材５）に挿入して図２５（ａ）（ｂ）に示す蓄熱暖房具を形成した。これを請求項１１の潜熱運転した後、抱き枕として通電時に布団の中に設置し、就寝時に電源及びコード４６を外して蓄熱体３の放熱運転を行なった。その結果、ほぼ就寝時中適温を保ち、抱き枕兼暖房具として使用することができた。
【００７２】
【発明の効果】
上記のように第１の発明は、大きな過冷却性を有する蓄熱材及びその過冷却を解放する解放手段を具備する蓄熱体と、蓄熱体を加熱するヒータ４と、断熱性及びクッション性を有する被覆材とを備え、蓄熱体が複数の部屋に分けられており、各部屋に異なる放熱温度を有する蓄熱材を封入するので、大きな過冷却性を有する蓄熱材を用いることによって自然に放熱しにくくすることができ、長時間の使用が可能であり、また、異なる放熱温度を有する蓄熱材を選択して放熱させることができ、複数の放熱温度を選択することができる。
【００７３】
且つ、各部屋に封入された蓄熱材が混合しないような連通路で部屋同士を連通し、最も高い放熱温度を有する蓄熱材が封入された部屋に解放手段を配設するので、最初に高い放熱温度を有する蓄熱材で表面の温度を急激に高くすることができ、立ち上がりを早くすることができる。
【００７４】
且つさらに、各部屋に封入された蓄熱材をゲル化剤によりゲル化し、連通路に隣接する部屋に封入された蓄熱材と同等あるいは類似した結晶形を有し且つ連通路に隣接する部屋に封入された蓄熱材と同等の過冷却度を有するゲル化していない物質で封止材を形成し、連通路に隣接する部屋に封入された蓄熱材と接触するように上記封止材を連通路に充填するので、蓄熱材をゲル化すると共に連通路に封止材を充填することによって、蓄熱材の流動性を低くすることができ、異なる種類の蓄熱材が混合されるのを防止することができるものであり、しかも、連通路に設けた封止材で結晶化のみを伝搬させることができる。
【００７５】
また第２の発明は、特に第１の発明において、高い放熱温度を有する蓄熱材を低い放熱温度を有する蓄熱材よりも外側に配置するので、最初に外側の蓄熱材で表面の温度を急激に高くすることができ、立ち上がりを早くすることができる。
【００７６】
また第３の発明は、特に第１または第２の発明において、ゲル化された蓄熱材あるいは各部屋に封入された蓄熱材が連通路で流動するのを抑制する材料で形成された封入材を連通路に充填するので、連通路に封止材を充填することによって、蓄熱材の流動性を低くすることができ、異なる種類の蓄熱材が混合されるのを防止することができるものであり、しかも、連通路に設けた封止材で結晶化のみを伝搬させることができる。
【００７７】
また第４の発明は、特に第１〜第３のいずれか１つの発明において、解放手段により蓄熱材の過冷却を解放した際に蓄熱材が偏り無くほぼ均一に放熱するように、蓄熱材の複数の部分から解放手段までの距離をほぼ同等に形成するので、蓄熱材の複数の部分で放熱をほぼ同時に行うことができ、放熱時の温度ムラが生じにくくすることができる。
【００７８】
また第５の発明は、特に第１〜第３のいずれか１つの発明において、蓄熱体を複数の部屋に完全に分断し、各部屋に蓄熱材を封入すると共に解放手段を各部屋毎に設け、いずれかの部屋に封入された蓄熱材の過冷却を解放することによって蓄熱体全体がほぼ均一に放熱するように部屋を配置するので、異なる部屋に封入された蓄熱材を個別に放熱させることができ、ヒータによる一回の加熱で複数回使用することができものであり、しかも、放熱時の温度ムラが生じにくくすることができる。
【００７９】
また第６の発明は、特に第１〜第５のいずれか１つの発明において、ヒータで加熱された蓄熱体を着脱自在に形成するので、蓄熱体を取り出すことによって、他の暖房具や保温材として利用することができる。
【００８０】
また第７の発明は、特に第１〜第６のいずれか１つの発明において、空気が出し入れ自在に形成されたエアクッションで被覆材を形成するので、エアクッションの空気を抜くことによって、体積及び重量を軽減することができ、持ち運びに便利なものである。
【００８１】
また第８の発明は、特に第１〜第７のいずれか１つの発明において、蓄熱材の過冷却度が１０ｄｅｇ以上であるので、蓄熱材が自然に放熱するのを防止することができ、長時間の使用が可能になる。
【００８２】
また第９の発明は、特に第１〜第８のいずれか１つの発明において、ヒータの温度をコントロールすることにより、蓄熱材の顕熱温度領域でのヒータ運転と、蓄熱材の潜熱温度領域まで蓄熱材の温度を上げるが完全融解させない潜熱運転と、蓄熱材の潜熱温度領域を超えた温度領域まで蓄熱材の温度を上げて蓄熱材を完全融解させ過冷却可能にする過冷却運転との三種類の運転モードを選択可能に形成するので、数種類の運転モードを選択することができ、用途に合わせて最適な暖房を行うことができる。
【図面の簡単な説明】
【図１】  本発明の実施の形態の一例を示す断面図である。
【図２】  同上の大きな過冷却性を有する蓄熱材の蓄放熱特性を示すグラフである。
【図３】  （ａ）は同上の解放手段であるトリガーを示す断面図、（ｂ）はトリガーを蓄熱体中に配置した状態を示す断面図である。
【図４】  同上の複数の部屋を有する蓄熱体を示す断面図である。
【図５】  （ａ）は同上のヒータで蓄熱体をサンドイッチした実施の形態を示す断面図、（ｂ）は同上の蓄熱体の下部にヒータを配設した実施の形態を示す断面図、（ｃ）は同上の蓄熱体でヒータをサンドイッチした実施の形態を示す断面図である。
【図６】  同上の他の実施の形態を示す断面図であって、低い放熱温度の蓄熱材を高い放熱温度の蓄熱材でサンドイッチした状態を示すものである。
【図７】  図６の蓄熱暖房具の蓄熱材を放熱させた時の蓄熱暖房具の表面の昇温特性を示すグラフである。
【図８】  同上の他の蓄熱体を示し、（ａ）は複数の部屋に分かれている蓄熱体において、各部屋の蓄熱材を連通路でつないだ状態を示す断面図、（ｂ）（ｃ）は折り畳んだ状態を示す斜視図である。
【図９】  同上の他の蓄熱体を示し、各部屋の蓄熱材を結ぶ連通路にゲル化された封止材が配置されており、各部屋の蓄熱材が混じり合わないようになっている状態を示す断面図である。
【図１０】  同上の他の蓄熱材を示し、連通路に各部屋の蓄熱材の混合を防止する封止材（不織布）を設けた状態を示す一部の拡大した断面図である。
【図１１】  他の蓄熱体を示し、（ａ）は円形の蓄熱体の中心にトリガーが設けられており、中心から放射状に結晶化が広がっていく状態を示す説明図、（ｂ）はトリガーと蓄熱材の複数の部分を結ぶ伝搬路が同距離で形成されているものを示す断面図、（ｃ）はトリガーと蓄熱材の複数の部分を結ぶ伝搬路が同距離で形成されているものを示す斜視図、（ｄ）は一続きの蓄熱体の端部にトリガーが設置されており、結晶化の時に結晶化が端部から広がっていく状態を示す説明図である。
【図１２】  同上の他の蓄熱体を示し、一つの蓄熱体において独立した二つの部屋に別々の蓄熱材とトリガーが設置されており、それぞれの蓄熱材の放熱時に放熱温度が蓄熱体の全体に亘って均一になるように蓄熱材が配置された状態を示す断面図である。
【図１３】  同上の他の蓄熱体を示し、（ａ）は蓄熱材を封入したチューブ体を複数本混在させた状態を示す概略図、（ｂ）は蓄熱材を封入したチューブ体の斜視図である。
【図１４】  同上の他の蓄熱暖房具を示し、（ａ）は加熱時の断面図、（ｂ）は蓄熱暖房具から取り出した蓄熱体を示す斜視図である。
【図１５】  同上の他の蓄熱暖房具を示し、（ａ）は蓄熱体を入れた腰巻きを腰に巻いている状態を示す概略図、（ｂ）は蓄熱体を入れた腰巻きを示す斜視図、（ｃ）は蓄熱体を肩当てに入れて肩に当てている状態を示す概略図である。
【図１６】  同上の他の蓄熱暖房具を示し、（ａ）は被覆材がエアクッションで構成されており、エアクッションに空気が入っている状態を示す断面図、（ｂ）は空気が抜けている状態を示す断面図である。
【図１７】  同上の他の蓄熱暖房具を示し、（ａ）は断面図、（ｂ）は蓄熱体とヒータを硬質の保護容器（ケース）で囲んだ状態を示す断面図、（ｃ）は（ｂ）において蓄熱体に連通路を形成した状態を示す断面図、（ｄ）は蓄熱体をヒータで挟んだ状態を示す断面図である。
【図１８】  （ａ）は同上の請求項１１に示すヒータ温度コントロール時のヒータの上限温度を示すグラフ、（ｂ）は蓄熱材の顕熱温度領域でのヒータ運転時における蓄熱材の温度変化を示すグラフ、（ｃ）は潜熱運転時の蓄熱材の温度変化を示すグラフ、（ｄ）は過冷却可能運転時の蓄熱材の温度変化を示すグラフである。
【図１９】  実施例１乃至５及び比較例１の蓄熱暖房具の表面温度の経時変化を示すグラフである。
【図２０】  （ａ）は実施例６、７及び比較例２、３の蓄熱暖房具の表面温度を測定する際の計測点を示す平面図、（ｂ）は比較例２の蓄熱体を示す断面図、（ｃ）は実施例６の蓄熱体を示す断面図である。
【図２１】  （ａ）は実施例６の蓄熱暖房具の表面温度を示すグラフ、（ｂ）は比較例２の蓄熱暖房具の表面温度を示すグラフである。
【図２２】  （ａ）は比較例３の蓄熱暖房具の表面温度を示すグラフ、（ｂ）は実施例７の蓄熱暖房具の表面温度を示すグラフである。
【図２３】  実施例９の蓄熱暖房具の表面温度の経時変化を示すグラフであって、過冷却を有する蓄熱材を設けた蓄熱暖房具において、２時間通電させた後、２日放置して室温で放熱させたときの表面温度の経時変化を示すグラフである。
【図２４】  実施例１０の蓄熱暖房具の表面温度の経時変化を示すグラフであって、放熱温度の異なる蓄熱材が設けられた蓄熱暖房具において、通電後放置した後、それぞれ放熱させたときの表面温度の経時変化を示すグラフである。
【図２５】  （ａ）は実施例１１の抱き枕を示す斜視図、（ｂ）は断面図である。
【符号の説明】
１  蓄熱材
１ａ  蓄熱材
１ｂ  蓄熱材
２  解放手段
３  蓄熱体
４  ヒータ
５  被覆材
６  部屋
７  連通路
８  封止材
３３  エアクッション
ａ  顕熱温度領域
ｂ  潜熱温度領域
ｃ  蓄熱材の潜熱温度領域を超えた温度領域
【図１】
0004496611.tif 000003
【図２】
0004496611.tif 000004
【図３】
0004496611.tif 000005
【図４】
0004496611.tif 000006
【図５】
0004496611.tif 000007
【図６】
0004496611.tif 000008
【図７】
0004496611.tif 000009
【図８】
0004496611.tif 000010
【図９】
0004496611.tif 000011
【図１０】
0004496611.tif 000012
【図１１】
0004496611.tif 000013
【図１２】
0004496611.tif 000014
【図１３】
0004496611.tif 000015
【図１４】
0004496611.tif 000016
【図１５】
0004496611.tif 000017
【図１６】
0004496611.tif 000018
【図１７】
0004496611.tif 000019
【図１８】
0004496611.tif 000020
【図１９】
0004496611.tif 000021
【図２０】
0004496611.tif 000022
【図２１】
0004496611.tif 000023
【図２２】
0004496611.tif 000024
【図２３】
0004496611.tif 000025
【図２４】
0004496611.tif 000026
【図２５】
0004496611.tif 000027